(57)【要約】  【課題】浮上組立体を提供する。  【解決手段】浮上組立体は、一端の注入口を介して内部空間に満たされる空気によって、浮力を有する複数個の容器と、前記注入口と結合される蓋部材の底面に、前記容器の内部に空気を一方向供給する逆止バルブを備え、前記注入口を密封する注入口蓋と、前記容器が挿入され位置固定される複数個の固定孔を備え、互いに隣接する複数個の容器を固定する容器固定部と、を含む。  【選択図】図１
2015536679.tif 000002
【特許請求の範囲】
【請求項１】
一端の注入口を介して内部空間に満たされる空気によって、浮力を有する複数個の容器と、
前記注入口と結合される蓋部材の底面に、前記容器の内部に空気を一方向供給する逆止バルブを備え、前記注入口を密封する注入口蓋と、
前記容器が挿入され、位置固定される複数個の固定孔を備え、互いに隣接する複数個の容器を固定する容器固定部と、
を含むことを特徴とする浮上組立体。
【請求項２】
前記逆止バルブは、前記蓋部材の外部面に空気が注入される注入端を露出させる注入ラインを有する一定の長さのバルブ体と、前記バルブ体の外部面に露出される注入ラインの排出端を覆うよう前記バルブ体に挿入される中空弾性体とを含むことを特徴とする請求項１に記載の浮上組立体。
【請求項３】
前記注入ラインは、前記バルブ体の長手方向に貫通形成された少なくとも一つの直線孔からなることを特徴とする請求項２に記載の浮上組立体。
【請求項４】
前記バルブ体は、前記中空弾性体と対応する外部面に突出形成される少なくとも一つの突出部を備えることを特徴とする請求項２に記載の浮上組立体。
【請求項５】
前記中空弾性体は、外部面に弾力的に接する固定リングによって、位置固定されることを特徴とする請求項２に記載の浮上組立体。
【請求項６】
前記容器固定部は、前記容器が対応挿入され固定される固定孔を貫通形成された複数個の固定体を含むことを特徴とする請求項１に記載の浮上組立体。
【請求項７】
前記固定体は、隣接する他の固定体の外部面に突出形成された結合突起と対応結合される結合溝と、隣接する他の固定体の外部面に陥没形成された結合溝と対応結合される結合突起とを備えることを特徴とする請求項６に記載の浮上組立体。
【請求項８】
前記固定体は、互いに隣接する固定孔間に貫通形成される肉取り用貫通孔を備えることを特徴とする請求項６に記載の浮上組立体。
【請求項９】
前記固定孔は、内部面に前記容器の外部面と接するよう突出形成される少なくとも一つの密着用突出部を備えることを特徴とする請求項１に記載の浮上組立体。
【請求項１０】
前記容器固定部は、複数個の上部固定孔を有する上部固定板と、前記上部固定孔と対応する領域に、下部固定孔を貫通形成した下部固定板と、前記上部固定板と前記下部固定板の外側縁を一体で連結する連結固定板とを含むことを特徴とする請求項１から９のいずれか１項に記載の浮上組立体。
【請求項１１】
前記容器固定部は、円形または多角形の上部固定リングを複数個備える上部リング支持体と、前記上部固定リングと対応する領域に、下部固定リングを備える下部リング支持体と、前記上部固定リングおよび前記下部リング支持体間を連結する連結体とを含むことを特徴とする請求項１から９のいずれか１項に記載の浮上組立体。
【請求項１２】
前記容器の一端部が、挿入配置され固定される注入口固定連結部を、さらに含み、
前記固定連結部は、前記注入口を有する容器の本体外部面が挿入配置され固定されるよう複数個の固定溝を上部面に一定の深さで陥没形成し、前記固定溝の底面に配置され、前記注入口と連結される注入口蓋を備える下部固定体を含むことを特徴とする請求項１に記載の浮上組立体。
【請求項１３】
前記固定溝は、内部面に前記容器の外部面と接するよう突出形成される少なくとも一つの密着用突出部を備えることを特徴とする請求項１２に記載の浮上組立体。
【請求項１４】
前記下部固定体は、隣接する他の下部固定体の外部面に突出形成された結合突起と対応結合される結合溝と、隣接する他の下部固定体の外部面に陥没形成された結合溝と対応結合される結合突起とを備えることを特徴とする請求項１２に記載の浮上組立体。
【請求項１５】
前記下部固定体は、互いに隣接する固定溝間に貫通形成される肉取り用貫通孔を備えることを特徴とする請求項１２に記載の浮上組立体。
【請求項１６】
前記注入口蓋は、前記固定溝の密閉された底面に一体で備えられるか、前記固定溝の密閉された底面に貫通形成された蓋組立孔に対応組立されることを特徴とする請求項１２に記載の浮上組立体。
【請求項１７】
前記容器は、前記注入口と対応する一端部が切開され開放され、他端部が密閉される第１カバーを備え、前記容器の外部面に前記第１カバーの内部面が密着されるよう前記第１カバーの開放された一端部を介して容器が対応挿入されることを特徴とする請求項１に記載の浮上組立体。
【請求項１８】
前記容器は、前記注入口と対応する一端部に、カバー注入口を開閉する蓋を備え、前記容器の密閉端と対応する他端部が切開され開放される第２カバーを備え、前記容器の外部面に、前記第２カバーの内部面が密着されるよう前記第２カバーの開放された他端部を介して容器が対応挿入されることを特徴とする請求項１に記載の浮上組立体。
【請求項１９】
前記容器は、前記注入口蓋に入口端が連結され、空気注入時、前記容器の内部面に外部面が密着されるようボリューム膨脹される膨脹部材を備えることを特徴とする請求項１に記載の浮上組立体。
【請求項２０】
前記容器は、空気と共に蛍光物質を内部空間に注入して備えるか、内外部面に蛍光物質を塗布するか、ＧＰＳ位置追跡器を備えるか、少なくとも一つの発光源を前記内部空間に備えることを特徴とする請求項１に記載の浮上組立体。
【発明の詳細な説明】
【技術分野】
【０００１】
本発明は、容器を用いた浮上組立体に関する。より詳しくは、ＰＥＴボトルのようにリサイクルが可能な容器を複数個連結し、容器に外部空気を供給して、浮力を有するようにし、水面に浮上させることができる浮上組立体に関するものである。
【背景技術】
【０００２】
一般に、浮子またはブイ（Ｂｕｏｙ）のような浮上構造物は、近隣海域に養殖場を設けるために網や縄などのような養殖構造物を円筒状の本体にぶら下げ、海上に浮かぶようにすることで、養殖場を設置及び表示するための一つの手段として使用されており、海苔やワカメまたは牡蠣などの付着性生物を海水中で養殖する水産業の分野で使用される構造物である。
【０００３】
このような浮上構造物は、ほとんどがポリスチレンフォーム（Ｐｏｌｙｓｔｙｒｅｎｅ  ｆｏａｍ：以下、「発砲スチロール」という。）とポリエチレン発泡樹脂材質とで製造されているが、そのうちの発砲スチロール材質の浮上構造物は、軽くて浮力が非常に強く、また、腐食性がなく、製造コストが安価であるだけでなく、設置作業が容易であるという長所によって、現在、最も多く使用されている。
また、構造面においても浮力の性能を極大化させるために、中心部に該当する中が空いているもの（中空）と、強度の補強側面から中心部に該当する中が空いておらず（中実）に一体的に製作されたものが知られている。
【０００４】
しかし、このような前記発砲スチロール材質の浮上組立体は、引張強度が弱く、波や風により衝撃を受けるか、海上に浮かぶ各種浮遊物体と衝突したときに容易に破損され、発砲スチロール材質自体が気孔が大きく且つ多いため、海水中で約1年程度使用すれば、海水の凝集により浮力が低下され、浮上組立体としての本来の機能を発揮できなくなり、発砲スチロール材質のブイが破損して生成された発砲スチロールの破片が、海上に浮遊して近隣海域を汚染させるという問題があった。
【０００５】
そして、従来の浮上組立体は、浮力の大きさに比例してボリューム（体積）が大きくなっており、大きな浮力を有する浮上組立体のボリュームが大きいために、設置位置へ運送することが非常に困難であった。
また、海底に陽光を遮断することによって、海底で成長する動植物の光合成作用を妨害する環境汚染を引き起こすなど、その被害が大きいため、その使用を規制されているが、安価で代替可能な製品がなく、現在までも継続して使用している等の多くの問題点を抱えていた。
【０００６】
そこで、特許文献１と２には、樹脂を射出架橋発砲させるか、液化木材ポリウレタンを用いた浮上組立体を開示している。
しかし、このような従来の浮上組立体は、浮遊体を別途に製作しなければならないため、製造コストの節減には限界があった。
【先行技術文献】
【特許文献】
【０００７】
【特許文献１】韓国  公開特許公報２００１−００３５０５４号
【特許文献２】韓国  公開特許公報２００６−００９７５２０号
【発明の概要】
【発明が解決しようとする課題】
【０００８】
本発明は、前述したような問題点を解決するためのものであり、その目的は、使用後廃棄される容器をリサイクルし、環境親和的で、製造コストを節減でき、プラスチック素材からなる容器を押しつぶし、ボリュームを縮めることができ、運送が容易な浮上組立体を提供することである。
【課題を解決するための手段】
【０００９】
前記目的を達成するための具体的な手段として、本発明は、一端の注入口を介して内部空間に満たされる空気によって、浮力を有する複数個の容器と、
前記注入口と結合される蓋部材の底面に、前記容器の内部に空気を一方向供給する逆止バルブを備え、前記注入口を密封する注入口蓋と、
前記容器が挿入され、位置固定される複数個の固定孔を備え、互いに隣接する複数個の容器を固定する容器固定部と、を含む浮上組立体を提供する。
【００１０】
好ましくは、前記逆止バルブは、前記蓋部材の外部面に空気が注入される注入端を露出させる注入ラインを有する一定の長さのバルブ体と、前記バルブ体の外部面に露出される注入ラインの排出端を覆うよう前記バルブ体に挿入される中空弾性体とを含む。
【００１１】
好ましくは、前記注入ラインは、前記バルブ体の長手方向に貫通形成された少なくとも一つの直線孔からなる。
【００１２】
好ましくは、前記バルブ体は、前記中空弾性体と対応する外部面に突出形成される少なくとも一つの突出部を備える。
【００１３】
好ましくは、前記中空弾性体は、外部面に弾力的に接する固定リングによって位置固定される。
【００１４】
好ましくは、前記容器固定部は、前記容器が対応挿入され固定される固定孔を貫通形成した複数個の固定体を含む。
【００１５】
さらに好ましくは、前記固定体は、隣接する他の固定体の外部面に突出形成された結合突起と対応結合される結合溝と、隣接する他の固定体の外部面に陥没形成された結合溝と対応結合される結合突起とを備える。
【００１６】
さらに好ましくは、前記固定体は、互いに隣接する固定孔間に貫通形成される肉取り用貫通孔を備える。
【００１７】
好ましくは、前記固定孔は、内部面に前記容器の外部面と接するよう突出形成される少なくとも一つの密着用突出部を備える。
【００１８】
好ましくは、前記容器固定部は、複数個の上部固定孔を有する上部固定板と、前記上部固定孔と対応する領域に、下部固定孔を貫通形成した下部固定板と、前記上部固定板と前記下部固定板の外側縁を一体で連結する連結固定板とを含む。
【００１９】
好ましくは、前記容器固定部は、円形または多角形の上部固定リングを複数個備える上部リング支持体と、前記上部固定リングと対応する領域に、下部固定リングを備える下部リング支持体と、前記上部リング支持体および前記下部リング支持体間を連結する連結体とを含む。
【００２０】
好ましくは、前記容器の一端部が挿入配置され固定される注入口固定連結部を、さらに含み、前記固定連結部は、前記注入口を有する容器の本体外部面が挿入配置され固定されるように複数個の固定溝を上部面に一定の深さで陥没形成し、前記固定溝の底面に配置され、前記注入口と連結される注入口蓋を備える下部固定体を含む。
【００２１】
さらに好ましくは、前記固定溝は、内部面に前記容器の外部面と接するよう突出形成される少なくとも一つの密着用突出部を備える。
【００２２】
さらに好ましくは、前記下部固定体は、隣接する他の下部固定体の外部面に突出形成された結合突起と対応結合される結合溝と、隣接する他の下部固定体の外部面に陥没形成された結合溝と対応結合される結合突起とを備える。
【００２３】
さらに好ましくは、前記下部固定体は、互いに隣接する固定溝間に貫通形成される肉取り用貫通孔を備える。
【００２４】
さらに好ましくは、前記注入口蓋は、前記固定溝の密閉された底面に一体で備えられるか、前記固定溝の密閉された底面に貫通形成された蓋組立孔に対応組立される。
【００２５】
好ましくは、前記容器は、前記注入口と対応する一端部が切開され開放され、他端部が密閉される第１カバーを備え、前記容器の外部面に前記第１カバーの内部面が密着されるよう前記第１カバーの開放された一端部を介して容器が対応挿入される。
【００２６】
好ましくは、前記容器は、前記注入口と対応する一端部に、カバー注入口を開閉する蓋を備え、前記容器の密閉端と対応する他端部が切開され開放される第２カバーを備え、前記容器の外部面に、前記第２カバーの内部面が密着されるよう前記第２カバーの開放された他端部を介して容器が対応挿入される。
【００２７】
好ましくは、容器は、前記注入口蓋に入口端が連結され、空気注入時、前記容器の内部面に外部面が密着されるようボリューム膨脹される膨脹部材を備える。
【００２８】
好ましくは、前記容器は、空気と共に蛍光物質を内部空間に注入して備えるか、内外部面に蛍光物質を塗布するか、ＧＰＳ位置追跡器を備えるか、少なくとも一つの発光源を内部空間に備える。
【発明の効果】
【００２９】
前述のような本発明によれば、以下の効果が奏する。
（１）使い捨てプラスチックのような空き容器を固定体に貫通形成された固定孔に固定し、容器の注入口に組立蓋注入口を介して空気を注入することによって、水面で浮上して様々な用途で使用することができる浮上構造物を構成できる。そのため、廃容器をリサイクルでき、資源を節約でき、環境親和的で、製造コストを節減することができる。
【００３０】
（２）プラスチック素材の容器を押しつぶし、ボリュームを縮めて運搬した後、強制供給される外部空気によって、浮力を有するよう形状を復元することによって、浮上組立体を設けるための資材運送に対する負担を低減することができる。
【００３１】
（３）容器が固定される固定体の重量を低減し、製造コストを節減できる一方、固定体に固定される容器の外部面に密着されるカバーを備え、その使用寿命を延ばすことができる。
【図面の簡単な説明】
【００３２】
【図１】本発明の好ましい実施例に係る浮上組立体を示した全体構成図である。
【図２Ａ】本発明の好ましい実施例に係る浮上組立体に採用される注入口蓋の斜視図である。
【図２Ｂ】本発明の好ましい実施例に係る浮上組立体に採用される注入口蓋の断面図である。
【図２Ｃ】本発明の好ましい実施例に係る浮上組立体に採用される注入口蓋の容器との結合断面図である。
【図２Ｄ】本発明の好ましい実施例に係る浮上組立体に採用される注入口蓋の別の実施形態である。
【図２Ｅ】本発明の好ましい実施例に係る浮上組立体に採用される注入口蓋のさらに別の実施形態である。
【図３Ａ】本発明の好ましい実施例に係る浮上組立体に採用される容器固定部の実施形態を示した構成図である。
【図３Ｂ】本発明の好ましい実施例に係る浮上組立体に採用される容器固定部の実施形態を示した構成図である。
【図３Ｃ】本発明の好ましい実施例に係る浮上組立体に採用される容器固定部の実施形態を示した構成図である。
【図３Ｄ】本発明の好ましい実施例に係る浮上組立体に採用される容器固定部の実施形態を示した構成図である。
【図４】本発明の好ましい実施例に係る浮上組立体に採用される注入口固定連結部を示した斜視図である。
【図５Ａ】本発明の好ましい実施例に係る浮上組立体に採用される注入口固定連結部の実施形態を示した構成図である。
【図５Ｂ】本発明の好ましい実施例に係る浮上組立体に採用される注入口固定連結部の実施形態を示した構成図である。
【図６】本発明の好ましい実施例に係る浮上組立体に採用される第１カバーの実施形態を示した構成図である。
【図７】本発明の好ましい実施例に係る浮上組立体に採用される第２カバーの実施形態を示した構成図である。
【図８】本発明の好ましい実施例に係る浮上組立体に採用される膨脹部材の実施形態を示した構成図である。
【発明を実施するための形態】
【００３３】
前述した本発明の目的、特徴及び長所は、以下の詳細な説明により、さらに明らかになるだろう。以下、添付された図面を参照して、本発明に係る好ましい実施例を詳細に説明する。
【００３４】
本発明の好ましい実施例に係る浮上組立体１００は、図１〜図３Ｄに示されるように、容器１１０、注入口蓋１２０及び容器固定部１３０を含む。
前記容器１１０は、一端に外部から空気のような流体が注入される注入口１１２を備え、水面から浮上させるために浮力を有するように空気が満たされる一定の大きさの内部空間を有するプラスチック素材の容器からなっていてもよい。
このような容器１１０は、空気が注入される注入口である入口側の外径が小さく、空気が注入され満たされる内部空間を形成する、残りの本体の外径が相対的に大きな形状の容器を選択的に使用してもよい。
即ち、空気が満たされ、浮力を発生させる容器１１０は、使い捨てのプラスチック容器を別に加工することなく、そのまま使用することができる。
【００３５】
前記注入口蓋１２０は、前記容器１１０の内部空間に外部の空気を案内注入して浮力を付与すると同時に、空気が満たされた容器の注入口１１２を密封するために前記容器１１０と結合するものである。
このような注入口蓋１２０は、前記注入口１１２と対応結合される蓋部材１２１と、前記蓋部材１２１の底面から延びて外部から空気を一方向に供給する逆止バルブ１２３を含んで空気注入機能と密封機能を同時に遂行することができる。
即ち、前記蓋部材１２１は、前記注入口１１２の外周面に形成された雄ネジ部１１４とネジ結合されるように、雌ネジ部１２２を内周面に備え、前記逆止バルブ１２３は、前記蓋部材１２１の底面から一定の高さで延び、未図示の空気供給用ポンプの空気供給ライン１２９と連結され、前記注入口１１２と蓋部材１２１との結合時、前記容器１１０の内部に空気が満たされるよう空気を一方向に供給するものである。
【００３６】
前記逆止バルブ１２３は、図２Ａ〜図２Ｃに示されるように、前記蓋部材１２１の下部面である外部面に空気が注入される注入端１２４ａを露出させる注入ライン１２４を有する一定の長さのバルブ体１２５と、前記バルブ体の外部面に露出される注入ライン１２４の吐出端１２４ｂを覆う前記バルブ体１２５に挿入される中空弾性体１２６を含む。
ここで、前記バルブ体１２５は、前記蓋部材１２１と同じ素材からなり、その底面から一定の高さで延びる円筒体からなり、前記中空弾性体１２６は、前記バルブ体の外部面に露出される注入ライン１２４の吐出端を弾力的に覆うラバーまたは樹脂のような弾性体のような素材で構成される中空パイプ形状からなることが好ましい。
【００３７】
これにより、前記蓋部材１２１の外部面に、注入端１２４ａが露出される注入ライン１２４と空気供給用ポンプの空気供給ライン１２９とを連結した後、前記注入ライン１２４を介して空気を強制供給し、強制注入される空気の注入圧力によって前記注入ライン１２４の吐出端１２４ｂを覆うよう前記バルブ体１２５の外部面に挿入されていた中空弾性体１２６の一部が浮き、前記バルブ体１２５の本体外部面に露出された吐出端を開放し、これを通じて空気が排出されることによって、前記容器１１０の内部空間に空気を注入し、充填することができる。
そして、前記注入ライン１２４を介した空気注入が中断されれば、前記中空弾性体１２６の弾性復原力によって前記注入ラインの吐出端１２４ｂは、初期状態に覆われ、自然に密封されることによって、前記容器１１０に満たされた空気が逆流されるのを防止することができる。
【００３８】
ここで、前記バルブ体１２５は、前記注入ライン１２４の吐出端１２４ｂを覆うよう挿入される中空弾性体１２６が、分離離脱されることを防止できるように、前記中空弾性体と対応する外部面に突出形成される少なくとも一つの突出部１２５ａを備えるのが好ましい。
【００３９】
また、前記蓋部材１２１は、前記注入ライン１２４の注入端１２４ａが露出される一側面に空気供給ライン１２９が挿入されるよう陥没形成される環状の組立溝１２５ｂを備えるものを説明したが、これに限定されるものではなく、前記注入ライン１２４の注入端１２４ａは、蓋部材の一側面から外部に一定の長さで突出し、前記空気供給ライン１２９と連結されてもよい。
そして、前記注入口蓋１２０の注入ライン１２４に形成される注入端１２４ａは、図２Ｄに示されるように、外側へ行くほど内径が広くなる断面状であってもよい。
【００４０】
一方、前記注入口蓋１２０は、図２Ｄに示されるように、空気が注入される注入端１２４ａと前記中空弾性体１２６に覆われる吐出端１２４ｂとを形成する注入ライン１２４が、前記バルブ体１２５の長手方向に貫通形成された少なくとも一つの直線孔を備えてもよい。
前記中空弾性体１２６は、外部面に弾力的に接する固定リング１２６ａによって、バルブ体１２５から分離離脱しないよう位置固定されるか、前記バルブ体の外部面に突出形成される少なくとも一つの突出部によって位置固定される。
【００４１】
ここで、前記バルブ体１２５は、上部本体の外径に比べて下部本体の外径が相対的に大きな断面状であり、前記注入ライン１２４の吐出端１２４ｂは、互いに異なる外径の大きさを有する上下本体間の境界領域に外部に露出されるように備えられるものとして図示して説明したが、前記注入端側に外径が次第に大きくなる断面状であってもよい。
【００４２】
前記容器固定部１３０は、前記注入口蓋１２０と連結される容器１１０が挿入され位置固定される複数個の固定孔１３２を備え、互いに隣接する複数個の容器を同時に固定するものである。
このような容器固定部１３０は、図３Ａに示されるように、前記容器１１０の本体が対応挿入され、固定される複数個の固定孔１３２を貫通形成した固定体１３４を含み、前記固定体１３４は、プラスチックのような樹脂を素材として、射出または押出成形される樹脂物であるか、バンド形状の素材で編んでなるものであるか、網形状で製織されるものであってもよい。
【００４３】
ここで、前記容器１１０が挿入配置され、前記容器１１０の外部面と面接触する前記固定孔１３２の内部面には、前記容器１１０との密着力を高め、固定力を高めることができるように突出形成される少なくとも一つの密着用突出部１３１を備えてもよい。
【００４４】
前記固定体１３４の外部面には、隣接する他の固定体１３４の外部面に突出形成された結合突起と対応結合される結合溝１３３ａと、隣接する他の固定体１３４の外部面に陥没形成された結合溝と対応結合される結合突起１３３ｂを備え、前記結合突起１３３ｂには、ワイヤーまたは連結紐のような一定の長さの連結部材を連結できるように連結孔１３３ｃを貫通形成してもよいが、これに限定されなく、別途の固定具を用いて互いに隣接する固定体同士を連結して結合してもよい。
【００４５】
また、前記固定体１３４は、互いに隣接する固定孔１３２間に貫通形成される肉取り用貫通孔１３５を備えることによって、前記肉取り用貫通孔１３５に該当するボリュームほどの樹脂素材からなる固定体１３４の重量を低減すると同時に、素材使用量を低減し、製造コストを節減することができる。
これにより、互いに隣接する複数個の固定体１３４は、前記結合溝１３３ａと結合突起１３３ｂと間の相互結合によって、互いに一体で結合され、組み立てられる。
【００４６】
前記容器固定部１３０は、図３Ｂに示されるように、複数個の上部固定孔１３２ａを有する上部固定板１３４ａと、前記上部固定孔１３２ａと対応する領域に下部固定孔１３２ｂを貫通形成した下部固定板１３４ｂと、前記上部固定板１３４ａと下部固定板１３４ｂの外側縁を一体で連結する連結固定板１３４ｃとを含む。
前記上・下部固定板１３４ａ、１３４ｂにも重量と共に、素材使用量を低減できるよう互いに隣接する上・下部固定孔１３２ａ、１３２ｂ間に肉取り貫通孔１３５ａを備えることが好ましい。
これにより、前記上・下部固定板１３４ａ、１３４ｂ及び連結固定板１３４ｃからなる固定体１３４で互いに一致する上・下部固定孔１３２ａ、１３２ｂによりなる固定孔１３２に空気を注入する容器１１０を対応挿入し、位置固定できる。
【００４７】
また、前記上・下部固定板１３４ａ、１３４ｂ間に、容器の外部面が露出される空間を形成することによって、前記空間に対応するボリュームほど樹脂素材からなる固定体１３４の重量を低減すると同時に、素材使用量を低減し、製造コストを節減することができる。
【００４８】
前記容器固定部１３０は、図３Ｃと３Ｄに示されるように、固定対象物である中空断面または多角断面相の容器１１０を上部から下部に挿入し、固定できるよう円形または多角形の上部固定リング１３６ａを複数個備える上部リング支持体１３７ａと、前記上部固定リング１３６ａと対応する領域に下部固定リング１３６ｂを備える下部リング支持体１３７ｂ、前記上・下部リング支持体１３７ａ、１３７ｂ間を連結する連結体１３７ｃとで構成してもよい。
【００４９】
ここで、前記上・下部リング支持体１３７ａ、１３７ｂ及びこれらに備えられる複数個の上・下部固定リング１３６ａ、１３６ｂは、プラスチックのような樹脂、金属ワイヤーまたは網紐のいずれか１つからなっていてもよく、互いに隣接する固定リングが、互いに連結され、外側の固定リングは上・下部リング支持体１３７ａ、１３７ｂに一体で連結されるか、結束され、互いに一体化されることが好ましい。
【００５０】
また、前記連結体１３７ｃには、ワイヤーまたは連結紐のような一定の長さの連結部材を連結できるように連結リング１３７ｄを備えてもよい。
【００５１】
一方、前記容器１１０は、図４〜図５Ｂに示されるように、注入口１１２が挿入配置される固定溝１４２に、注入口蓋１２０を備える注入口固定連結部１４０を、さらに備えてもよい。
【００５２】
即ち、前記注入口固定連結部１４０は、前記注入口１１２を有する容器１１０の本体外部面が挿入配置され固定されるよう複数個の固定溝１４２を上部面に一定の深さで陥没形成し、前記固定溝１４２の底面に配置され、前記注入口１１２と連結される注入口蓋１２０を備える下部固定体１４４を含む。
このような下部固定体１４４は、固定孔１３２を複数個貫通形成した固定体１３４と同様に、プラスチックのような樹脂を素材として射出成形される樹脂物からなっていてもよく、前記固定溝１４２の内部面にも前記容器１１０の本体外部面との密着力を高め、固定力を向上できるように少なくとも一つの密着用突出部１４１を備えてもよい。
【００５３】
また、下部固定体１４４の外部面には、隣接する他の下部固定体１４４の外部面に突出形成された結合突起と対応結合される結合溝１４３ａと、隣接する他の下部固定体１４４の外部面に陥没形成された結合溝と対応結合される結合突起１４３ｂとを備え、前記結合突起１４３ｂには、ワイヤーまたは連結紐のような一定の長さの連結部材を連結できるように連結孔を貫通形成することができる。
【００５４】
そして、前記下部固定体１４４は、互いに隣接する固定溝１４２間に貫通形成される肉取り用貫通孔１４５を備えることによって、自体重量を低減すると同時に、素材使用量を低減し、製造コストを節減することができる。
これにより、前記注入口１１２を有する容器１１０は、前記下部固定体１４４の固定溝１４２に対応挿入され本体外部面が固定されると同時に、前記固定溝１４２に備えられる注入口蓋１２０と結合されることによって、前記容器１１０を位置固定すると同時に、空気注入が可能に注入口蓋１２０と組み立てられる。
【００５５】
そして、前記注入口蓋１２０は、図５Ａに示されるように、前記固定溝１４２の密閉された底面に一体で備えられるか、図５Ｂに示されるように、前記固定溝１４２の密閉された底面に貫通形成された蓋組立孔１４９に対応組み立てられる。
前記蓋組立孔１４９は、前記注入口蓋の外部面に形成される雄ネジ部とネジ結合される雌ネジ部を備え、ネジ方式で着脱ができるように組み立てられるか、内周面に塗布される接着剤を介して、前記注入口蓋１２０と一体で組み立てられるか、組立境界面を高温の熱で熱融着し、前記注入口蓋１２０と一体で組み立てられる。
【００５６】
前記注入口蓋１２０と結合され、内部空間に浮力を有するように空気が満たされる容器１１０は、図６（ａ）と図６（ｂ）に示されるように、前記注入口１１２と対応する一端部が切開され開放され、他端部が密閉された第１カバー１５１を備え、前記第１カバー１５１の開放された一端部を通して前記容器１１０の本体外部面の大部分を覆うように対応挿入することによって、前記蓋注入口１２０を介した空気注入時、ボリューム膨脹される容器１１０の本体外部面が、前記第１カバー１５１の内部面に密着され、浮力体としての使用時、外部環境から保護することができる。
【００５７】
また、前記容器１１０は、図７（ａ）と図７（ｂ）に示されるように、前記注入口１１２と対応する一端部に、カバー注入口１５２を開閉する蓋１５５を備え、前記容器１１０の密閉端（図面において上部）と対応する他端部が切開され、開放される第２カバー１５４を備え、前記第２カバー１５４の開放された他端部を介して前記容器１１０の本体外部面の大部分を覆うよう対応挿入することによって、前記カバー注入口に組立蓋１５５を開放し、露出される蓋注入口１２０を介した空気注入時、ボリューム膨脹される容器１１０の本体外部面が、前記第２カバー１５４の内部面に密着され、浮力体としての使用時、外部環境から保護することができる。
【００５８】
そして、前記容器１１０は、図８に示されるように、前記注入口蓋１２０に入口端が連結され、前記容器１１０の内部に配置されるゴムバルーンのように空気注入時、ボリュームが膨張される膨脹部材１５６を備え、前記注入口蓋１２０を介した空気注入時、前記容器１１０の内部空間でボリューム膨脹される膨脹部材１５６の外部面は、前記容器１２０の内部面に密着されることによって、浮力のために注入された空気が外部に流出されることを最大限防止することができる。
【００５９】
ここで、前記第１、２カバー１５１、１５４は、容器１１０の本体外部面に均一に密着されるように、前記容器１１０の断面形状と略同じ形状を有する他の容器を用いて備えることが好ましい。
前記した構成を有する浮上組立体１００において、固定体１３４の各固定孔１３２に容器を挿入し、前記容器１１０の注入口に注入口蓋１２０を組み立て、注入口１１２を密封する。
このような状態で、前記注入口蓋１２０に形成された注入ライン１２４の注入端１２４ａと連結される空気供給ライン１２９を介して外部空気が注入されれば、外部空気の注入圧力によって、前記注入ラインを介して供給される空気の吐出圧によってバルブ体１２５の外部面に露出される注入ラインの吐出端１２４ｂを覆うように前記バルブ体１２５の外部面に挿入されていた中空弾性体１２６が一部浮いて開放されるため、前記容器１１０の内部空間に空気を注入し、注入される空気によって、容器はボリューム膨脹され、前記固定孔の内部面に外部面が密着固定される。
【００６０】
そして、前記注入ライン１２４の注入端１２４ａを介して外部空気の注入が中断されれば、前記中空弾性体１２６の弾性復原力によって前記吐出端を覆い密閉し、前記注入ラインの逆方向に空気が排出されないようにする。
これにより、前記固定体１３４に形成された複数個の各固定孔に対応挿入された容器に空気が注入されれば、ボリューム膨脹される本体外部面が固定孔に密着固定されると同時に、注入された空気によって、水面上に浮上することができるように浮力を有することになる。
【００６１】
互いに隣接する固定体は、その外部面に形成された結合溝と結合突起と間の相互結合によって一体で組み立てられ、設計しようとする浮上組立体の大きさに合わせて大きさを調節することができる。
【００６２】
一方、前記容器１１０は、内部空間に満たされる空気と共に、蛍光物質を供給するか、容器１１０の内・外部面に蛍光物質を塗布することによって、蛍光物質によって夜間に浮上組立体１００の位置を表示し、遠距離でその位置を容易に確認することができる。
【００６３】
さらに、前記注入口蓋１２０に蛍光体である蛍光棒を固定設置するか、容器１１０の内部に挿入することによって、蛍光物質を容器内部に供給するか、塗布することと同様に、蛍光物質によって浮上組立体１００の位置を表示し、夜間にも遠距離でその位置を容易に確認することができる。
【００６４】
そして、前記容器１１０は、空気が満たされる内部空間にＧＰＳのような位置を追跡することができる別途の手段を挿入することによって、昼間及び夜間に浮上組立体の位置を容易に確認することができる。
【００６５】
また、前記容器１１０は、空気が満たされる内部空間に太陽光熱を用いた照明灯や乾電池を利用する乾電池照明灯などと共に、電源印加時、光を発生させる少なくとも一つの発光源が挿入配置することができる。
【００６６】
以上で説明した本発明は、前述した実施例及び添付された図面により限定されるものではなく、本発明の技術的思想を逸脱しない範囲内で、様々な置換、変形及び変更が可能であることは、本発明が属する技術分野で通常の知識を有した者に明らかであろう。
【図１】
2015536679.tif 000003
【図２Ａ】
2015536679.tif 000004
【図２Ｂ】
2015536679.tif 000005
【図２Ｃ】
2015536679.tif 000006
【図２Ｄ】
2015536679.tif 000007
【図２Ｅ】
2015536679.tif 000008
【図３ａ】
2015536679.tif 000009
【図３ｂ】
2015536679.tif 000010
【図３ｃ】
2015536679.tif 000011
【図３ｄ】
2015536679.tif 000012
【図４】
2015536679.tif 000013
【図５ａ】
2015536679.tif 000014
【図５ｂ】
2015536679.tif 000015
【図６（ａ）】
2015536679.tif 000016
【図６（ｂ）】
2015536679.tif 000017
【図７（ａ）】
2015536679.tif 000018
【図７（ｂ）】
2015536679.tif 000019
【図８】
2015536679.tif 000020
【国際調査報告】
2015536679.tif 000021
2015536679.tif 000022
2015536679.tif 000023
2015536679.tif 000024